(57)【要約】【課題】匍匐害虫捕獲器の設置に要する面積が拡大しないようにしながら匍匐害虫の捕獲可能な数を増やし、しかも、製造工程をシンプルにする。【解決手段】第１導入空間を形成する壁部１０と、第２導入空間を形成する壁部１１とは１枚の板材１００を折り曲げることによって構成される。板材１００の展開状態で、第１導入空間を形成する壁部１０の内面と、第２導入空間を形成する壁部１１の内面とが板材１００の同一面上に位置し、かつ、両内面には粘着剤２、３が設けられている。【選択図】図１３
2019165642.tif 000002
【特許請求の範囲】
【請求項１】
匍匐害虫を導入する容器を備え、該容器に導入した匍匐害虫を捕獲する匍匐害虫捕獲器において、
上記容器には、匍匐害虫を該容器の内部に導入するための第１導入口と第２導入口とが形成され、
上記容器の内部には、上記第１導入口に連通して匍匐害虫を導入する第１導入空間と、該第１導入空間の上方に位置し、上記第２導入口に連通して匍匐害虫を導入する第２導入空間とが区画形成され、
１枚の板材に、上記第１導入空間を形成する壁部と、上記第２導入空間を形成する壁部とが形成されており、
上記板材の展開状態で、上記第１導入空間を形成する壁部の内面と、上記第２導入空間を形成する壁部の内面とが該板材の同一面上に位置し、かつ、上記両内面には粘着剤が設けられていることを特徴とする匍匐害虫捕獲器。
【請求項２】
請求項１に記載の匍匐害虫捕獲器において、
上記粘着剤は、上記板材に塗布されていることを特徴とする匍匐害虫捕獲器。
【請求項３】
請求項１または２に記載の匍匐害虫捕獲器において、
上記第１導入空間を形成するとともに上記粘着剤が設けられた壁部は、上記第１導入空間の上壁部であることを特徴とする匍匐害虫捕獲器。
【請求項４】
請求項１から３のいずれか１つに記載の匍匐害虫捕獲器において、
上記第２導入空間を形成するとともに上記粘着剤が設けられた壁部は、上記第２導入空間の上壁部であることを特徴とする匍匐害虫捕獲器。
【請求項５】
請求項１または２に記載の匍匐害虫捕獲器において、
上記第１導入空間を形成する上壁部と上記第２導入空間を形成する底壁部とは共通化され、
上記第１導入空間を形成する底壁部、上記第１導入空間を形成する上壁部及び上記第２導入空間を形成する上壁部は、上記１枚の板材を折り曲げることによって構成されており、
上記板材の展開状態で、上記第１導入空間を形成する上壁部の内面と、上記第２導入空間を形成する上壁部の内面とが該板材の同一面上に位置し、かつ、上記両内面には粘着剤が設けられていることを特徴とする匍匐害虫捕獲器。
【請求項６】
請求項５に記載の匍匐害虫捕獲器において、
上記第１導入空間を形成する上壁部には、匍匐害虫を誘引する誘引剤を含む誘引部材が上記粘着剤により取り付けられることを特徴とする匍匐害虫捕獲器。
【請求項７】
請求項６に記載の匍匐害虫捕獲器において、
上記第１導入空間を形成する底壁部には、上記誘引部材を上記第１導入空間の外部から該第１導入空間に挿入するための挿入口が形成されていることを特徴とする匍匐害虫捕獲器。
【請求項８】
請求項７に記載の匍匐害虫捕獲器において、
上記挿入口を開閉する蓋部が、上記第１導入空間を形成する底壁部に一体成形されていることを特徴とする匍匐害虫捕獲器。
【発明の詳細な説明】
【技術分野】
【０００１】
本発明は、例えばゴキブリ等の匍匐害虫を捕獲する匍匐害虫捕獲器に関する。
【背景技術】
【０００２】
従来より、一般家庭等ではゴキブリを捕獲するゴキブリ捕獲器が使用されている。ゴキブリ捕獲器は例えば床面等に設置しておき、床面を歩行するゴキブリをゴキブリ捕獲器に形成されている導入口から内部に導入し、内部に設けられている粘着剤によりゴキブリを捕獲することができるように構成されている（例えば、特許文献１〜５参照）。
【０００３】
特許文献１のゴキブリ捕獲器は、小箱状の容器を複数段積み重ねて構成されており、各容器の内部の底面は水平方向に延びており、その底面に粘着剤が設けられている。
【０００４】
特許文献２のゴキブリ捕獲器は、底板部が水平方向に延びる一方、上板部は容器の奥側へ行くほど下に位置するように傾斜している。上板部の内面に粘着剤が設けられている。
【０００５】
特許文献３のゴキブリ捕獲器は、底板部が水平方向に延びる一方、上板部はその長手方向一方側の端部から中央部に近づくほど下に位置するように傾斜し、また長手方向他方側の端部から中央部に近づくほど下に位置するように傾斜している。上板部の内面における長手方向一方側と他方側にそれぞれ粘着剤が設けられている。
【０００６】
特許文献４のゴキブリ捕獲器は、底板部が水平方向に延びる一方、上板部は底板部と略平行に延びる部分と、底板部に対して傾斜する部分とを有している。上板部の内面に粘着剤が設けられている。
【０００７】
特許文献５のゴキブリ捕獲器は、底板部が水平方向に延びており、この底板部と上板部との間に山型に形成された中間板を設けている。底板部の上面と、中間板の上面に粘着剤が設けられている。
【先行技術文献】
【特許文献】
【０００８】
【特許文献１】特許第４３９２６９８号公報
【特許文献２】特開２００６−１３６２９６号公報
【特許文献３】実開昭４９−１１２７６８号公報
【特許文献４】特許第２６９４３３８号公報
【特許文献５】特開平６−３２７３８９号公報
【発明の概要】
【発明が解決しようとする課題】
【０００９】
ところで、特許文献２、４のように、ゴキブリが導入される空間が１つの場合があり、この場合は、ゴキブリの捕獲可能な数を増やすためには特許文献４のように水平方向に長く形成する必要がある。しかしながら、そのようにすると、ゴキブリ捕獲器の設置に要する面積、即ち平面視における投影面積が広くなり、設置し易さが損なわれてしまう。
【００１０】
また、特許文献３では、ゴキブリが導入される空間を２つ設けているので、ゴキブリの捕獲可能な数を増やすことはできると考えられるが、２つの空間が水平方向に並ぶように配置されているので、ゴキブリ捕獲器の設置に要する面積が広くなってしまう。
【００１１】
そこで、例えば特許文献１、５のように、容器の内部において複数の空間を上下に区画形成することが考えられる。このようにすれば、ゴキブリの捕獲可能な数を増やしながら、ゴキブリ捕獲器の設置に要する面積を狭くすることが可能になる。
【００１２】
ところが、特許文献１では小箱状の容器を複数段積み重ねて構成されており、容器毎に粘着剤を設けなければならず、製造工程が煩雑になる。また、特許文献５では底板部と中間板とが別部材で構成されていて、それぞれに粘着剤を設けなければならないので、このものも製造工程が煩雑になる。
【００１３】
本発明は、かかる点に鑑みてなされたものであり、その目的とするところは、匍匐害虫捕獲器の設置に要する面積が拡大しないようにしながら匍匐害虫の捕獲可能な数を増やし、しかも、製造工程をシンプルにすることにある。
【課題を解決するための手段】
【００１４】
上記目的を達成するために、第１の発明は、匍匐害虫を導入する容器を備え、該容器に導入した匍匐害虫を捕獲する匍匐害虫捕獲器において、上記容器には、匍匐害虫を該容器の内部に導入するための第１導入口と第２導入口とが形成され、上記容器の内部には、上記第１導入口に連通して匍匐害虫を導入する第１導入空間と、該第１導入空間の上方に位置し、上記第２導入口に連通して匍匐害虫を導入する第２導入空間とが区画形成され、１枚の板材に、上記第１導入空間を形成する壁部と、上記第２導入空間を形成する壁部とが形成されており、上記板材の展開状態で、上記第１導入空間を形成する壁部の内面と、上記第２導入空間を形成する壁部の内面とが該板材の同一面上に位置し、かつ、上記両内面には粘着剤が設けられていることを特徴とする。
【００１５】
この構成によれば、第１導入口から第１導入空間に導入された匍匐害虫は、第１導入空間を形成する壁部の内面に設けられた粘着剤によって捕獲され、また、第２導入口から第２導入空間に導入された匍匐害虫は、第２導入空間を形成する壁部の内面に設けられた粘着剤によって捕獲されるので、匍匐害虫の捕獲可能な数を増やすことができる。この場合に、第１導入空間の上方に第２導入空間が形成されるので、容器の平面視における投影面積が小さくなる。
【００１６】
また、第１導入空間を形成する壁部と第２導入空間を形成する壁部とを構成する板材の同一面上に両壁部の内面が位置しているので、板材が１枚で済むとともに、両内面に対して上記粘着剤を設ける際に板材を裏返す等の作業が不要になり、製造工程がシンプルになる。
【００１７】
第２の発明は、上記粘着剤は、上記板材に塗布されていることを特徴とする。
【００１８】
この構成によれば、板材の同一面に粘着剤を塗布することで、第１導入空間を形成する壁部の内面と、第２導入空間を形成する壁部の内面とに粘着剤を容易に設けることができる。
【００１９】
第３の発明は、上記第１導入空間を形成するとともに上記粘着剤が設けられた壁部は、上記第１導入空間の上壁部であることを特徴とする。
【００２０】
この構成によれば、第１導入空間の上部に粘着剤が配置されることになるので、第１導入口から第１導入空間に導入された匍匐害虫が例えばゴキブリである場合には、羽根または背部が粘着剤に付着することになる。これにより、脚を付着させる場合に比べて粘着剤との接触面積が広くなり、一旦捕獲した後に逃げ出してしまうゴキブリの数を減らすことが可能になる。
【００２１】
尚、捕獲対象となる匍匐害虫は、ゴキブリに限られるものではなく、床面等を歩行する害虫を全て対象とすることができる。羽根のない害虫であっても、背部が粘着剤に付着することで粘着面積が広くなって逃げ出しにくくなるので、羽根の有無は問わない。
【００２２】
第４の発明は、上記第２導入空間を形成するとともに上記粘着剤が設けられた壁部は、上記第２導入空間の上壁部であることを特徴とする。
【００２３】
この構成によれば、第２導入空間の上部に粘着剤が配置されることになるので、第２導入口から第２導入空間に導入された匍匐害虫が例えばゴキブリである場合には、羽根または背部が粘着剤に付着することになる。これにより、一旦捕獲した後に逃げ出してしまうゴキブリの数を減らすことが可能になる。
【００２４】
第５の発明は、上記第１導入空間を形成する上壁部と上記第２導入空間を形成する底壁部とは共通化され、上記第１導入空間を形成する底壁部、上記第１導入空間を形成する上壁部及び上記第２導入空間を形成する上壁部は、上記１枚の板材を折り曲げることによって構成されており、上記板材の展開状態で、上記第１導入空間を形成する上壁部の内面と、上記第２導入空間を形成する上壁部の内面とが該板材の同一面上に位置し、かつ、上記両内面には粘着剤が設けられていることを特徴とする。
【００２５】
この構成によれば、第１導入空間を形成する上壁部と第２導入空間を形成する底壁部とを共通化することで、容器をコンパクト化することができる。この場合に、第１導入空間を形成する底壁部、第１導入空間を形成する上壁部及び第２導入空間を形成する上壁部を１枚の板材で構成するようにしたので、部材の点数を少なくすることができる。そして、第１導入空間を形成する上壁部の内面と、第２導入空間を形成する上壁部の内面とに、上記粘着剤を容易に設けることができる。
【００２６】
第６の発明は、上記第１導入空間を形成する上壁部には、匍匐害虫を誘引する誘引剤を含む誘引部材が上記粘着剤により取り付けられることを特徴とする。
【００２７】
この構成によれば、第１導入空間を形成する上壁部に設けた粘着剤を利用して誘引部材を取り付けることができる。
【００２８】
第７の発明は、上記第１導入空間を形成する底壁部には、上記誘引部材を上記第１導入空間の外部から該第１導入空間に挿入するための挿入口が形成されていることを特徴とする。
【００２９】
この構成によれば、板材を折り曲げて容器を形作った後に、誘引部材を第１導入空間の底壁部の挿入口から第１導入空間の内部に挿入して第１導入空間を形成する上壁部に設けた粘着剤に付着させることができる。
【００３０】
第８の発明は、上記挿入口を開閉する蓋部が、上記第１導入空間を形成する底壁部に一体成形されていることを特徴とする。
【００３１】
この構成によれば、挿入口を不要時に蓋部によって閉じておくことができる。この蓋部を第１導入空間の底壁部に一体成形することで部材の点数の増加を抑制できる。
【発明の効果】
【００３２】
本発明によれば、第１導入空間の上方に第２導入空間を形成し、第１導入空間を形成する壁部と第２導入空間を形成する壁部とを、１枚の板材を折り曲げることによって構成し、その板材の展開状態で、第１導入空間を形成する壁部の内面と第２導入空間を形成する壁部の内面とが該板材の同一面上に位置しており、それら両内面に粘着剤を設けるようにしたので、匍匐害虫捕獲器の設置に要する面積が拡大しないようにしながら匍匐害虫の捕獲可能な数を増やすことができ、しかも、匍匐害虫捕獲器の製造工程をシンプルにすることができる。
【図面の簡単な説明】
【００３３】
【図１】実施形態に係る匍匐害虫捕獲器を前方から見た斜視図である。
【図２】匍匐害虫捕獲器を後方から見た斜視図である。
【図３】匍匐害虫捕獲器の平面図である。
【図４】匍匐害虫捕獲器の正面図である。
【図５】匍匐害虫捕獲器の背面図である。
【図６】匍匐害虫捕獲器の右側面図である。
【図７】匍匐害虫捕獲器の底面図である。
【図８】図３におけるVIII−VIII線断面図である。
【図９】匍匐害虫捕獲器を底面側から見ており、誘引部材を取り付ける要領を説明する図である。
【図１０】匍匐害虫捕獲器を上下反転させた状態で誘引部材を取り付ける要領を説明する図８相当図である。
【図１１】匍匐害虫捕獲器でゴキブリを捕獲した状態を示す図８相当図である。
【図１２】匍匐害虫捕獲器の容器となる板材の展開図である。
【図１３】板材に粘着剤を設けた状態を示す斜視図である。
【図１４】内方側板部を折り曲げた状態を示す板材の斜視図である。
【図１５】区画壁部を折り曲げた状態を示す板材の斜視図である。
【図１６】後側壁部及び上壁部を折り曲げる途中の状態を示す板材の斜視図である。
【図１７】挿入片を差し込む要領を説明する斜視図である。
【図１８】変形例に係る板材の展開図である。
【発明を実施するための形態】
【００３４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３５】
図１は、本発明の実施形態に係る匍匐害虫捕獲器１を前方から見た斜視図であり、図２は、匍匐害虫捕獲器１を後方から見た斜視図である。この匍匐害虫捕獲器１は、匍匐害虫を捕獲するための器具である。匍匐害虫捕獲器１で捕獲する対象となる匍匐害虫としては、例えばゴキブリを挙げることができるが、ゴキブリに限られるものではなく、床や地面を歩行する様々な害虫であってもよい。ゴキブリには、クロゴキブリ、チャバネゴキブリ、ワモンゴキブリ等が含まれるとともに、各々、オス、メス、卵鞘を持ったメス、幼虫等が含まれる。匍匐害虫捕獲器１は、匍匐害虫を導入する容器１Ａと、図８等に示す第１粘着剤２及び第２粘着剤３とを少なくとも備えており、該容器１Ａに導入した匍匐害虫を捕獲することができるように構成されている。第１粘着剤２及び第２粘着剤３は、容器１Ａの内部に設けられている。また、容器１Ａの内部には誘引部材４が収容されている。誘引部材４によって容器１Ａの内部に誘引された匍匐害虫を第１粘着剤２や第２粘着剤３によって捕獲することができる他、誘引されなくても容器１Ａの内部に導入された匍匐害虫を第１粘着剤２や第２粘着剤３によって捕獲することができる。なお、匍匐害虫の種類によっては暗くて狭い空間を好む習性を有するもの等があり、そのような場合は誘引部材４が無くても容器１Ａ内に誘引できるので、誘引部材４を省略することができる。
【００３６】
尚、この実施形態の説明では、各図に示すように匍匐害虫捕獲器１の前側及び後側を定義し、前側から見たときに右となる側を右側、左となる側を左側と定義するが、これは説明の便宜を図るためだけであり、実際の使用時の姿勢や運搬時の姿勢、製造時の姿勢を限定するものではない。例えば、匍匐害虫捕獲器１の前側が、使用者から向かって右や左、後に位置するように匍匐害虫捕獲器１を設置したり、匍匐害虫捕獲器１の前側が上や下に位置するように匍匐害虫捕獲器１を設置することもできる。
【００３７】
また、匍匐害虫捕獲器１は、一般家庭や事務所、各種工場等の床面に載置して使用することができる他、地面に直接載置して使用することもできる。また、例えば、家具と壁の隙間や電化製品と壁の隙間等、匍匐害虫が歩行しそうな場所に設置することもできる。また、壁に沿わせて設置することや、家具や電化製品の上に設置して使用することもできる。
【００３８】
（容器１Ａの構成）
容器１Ａは、例えばボール紙等の厚紙からなる１枚の板材１００（図１２に示す）で構成されている。板材１００は、厚紙や、厚紙に印刷層が設けられた部材以外にも例えば樹脂材等で構成されていてもよいが、組み立てた状態で長期間（短くても数週間から数ヶ月）に亘って形状を維持することができる形状維持性を備えた部材で構成するのが好ましい。
【００３９】
容器１Ａは、図１、図２、図８等に示すように、底壁部１０と、上壁部１１と、右側壁部１２と、左側壁部１３と、後側壁部１４と、区画壁部（区画部）１５とを備えている。容器１Ａの内部には、匍匐害虫を導入する第１導入空間Ｒ１及び第２導入空間Ｒ２が区画壁部１５によって区画形成されている。第２導入空間Ｒ２は第１導入空間Ｒ１の上方に位置しており、２階建て構造となっている。第２導入空間Ｒ２の容積を第１導入空間Ｒ１の容積よりも大きくすることができる。尚、第２導入空間Ｒ２の容積と第１導入空間Ｒ１の容積とを同じにしてもよいし、第２導入空間Ｒ２の容積を第１導入空間Ｒ１の容積よりも小さくしてもよい。
【００４０】
容器１Ａの底壁部１０は、下側に位置する第１導入空間Ｒ１を形成する底壁部となっており、また、容器１Ａの上壁部１１は、上側に位置する第２導入空間Ｒ２を形成する上壁部となっている。容器１Ａの上壁部１１の前端部は、容器１Ａの底壁部１０の前端部よりも後に位置している。容器１Ａの上壁部１１の後端部は、容器１Ａの底壁部１０の後端部よりも前に位置している。よって、容器１Ａの上壁部１１の前後方向の寸法は、容器１Ａの底壁部１０の前後方向の寸法よりも短くなっている。
【００４１】
容器１Ａの右側壁部１２は、第１導入空間Ｒ１及び第２導入空間Ｒ２を形成する右側壁部となっている。容器１Ａの左側壁部１３は、第１導入空間Ｒ１及び第２導入空間Ｒ２を形成する左側壁部となっている。容器１Ａの後側壁部１４は、第１導入空間Ｒ１を形成する後側壁部となっている。区画壁部１５は、容器１Ａの内部において右側壁部１２の内面から左側壁部１３の内面まで左右方向に延びるとともに、容器１Ａの前端部から後端部近傍まで延びている。また、この区画壁部１５の前端部は、底壁部１０の前端部と連なる一方、区画壁部１５の後端部は、上壁部１１の後端部近傍に位置している。区画壁部１５は全体として容器１Ａの前側へ向かって下降傾斜して延びている。
【００４２】
この区画壁部１５の下面よりも下側の空間が第１導入空間Ｒ１とされ、区画壁部１５の上面よりも上側の空間が第２導入空間Ｒ２とされている。よって、第２導入空間Ｒ２を形成する底壁部は区画壁部１５であり、また、第１導入空間Ｒ１を形成する上壁部は区画壁部１５であり、第１導入空間Ｒ１を形成する上壁部と、第２導入空間Ｒ２を形成する底壁部とは共通の区画壁部１５で構成されている。
【００４３】
第１導入空間Ｒ１を形成する底壁部１０は、設置面Ｇ（図８にのみ仮想線で示す）と略平行、即ち、設置面Ｇに沿って延びている。設置面Ｇは、例えば床面等であり、図８に示すような平坦面であってもよいし、凹凸がある面であってもよい。第２導入空間Ｒ２を形成する底壁部である区画壁部１５は、上述したように前側へ向かって下降傾斜しているので設置面Ｇに対して傾斜することになる。つまり、第１導入空間Ｒ１を形成する底壁部１０と、第２導入空間Ｒ２を形成する底壁部（区画壁部１５）とは、水平面（例えば設置面Ｇ）に対する角度が互いに異なっている。
【００４４】
また、第２導入空間Ｒ２を形成する上壁部１１は、後側へ向かって下降傾斜するように形成することができるが、設置面Ｇに対して略平行に形成してもよいし、前側へ向かって下降傾斜するように形成してもよい。
【００４５】
容器１Ａの後側壁部１４は、上端部が下端部よりも前に位置するように傾斜している。後側壁部１４の下端部は、底壁部１０の後端部に連なっている。また、後側壁部１４の上端部は、上壁部１１の後端部に連なっている。従って、底壁部１０と、上壁部１１とは後側壁部１４によって連結されることになる。この後側壁部１４の傾斜角度は、上壁部１１の傾斜角度よりも急に設定されている。
【００４６】
容器１Ａの後側壁部１４には、匍匐害虫を該容器１Ａの内部に導入するための後側導入口（第１導入口）１４ａが形成されている。後側導入口１４ａは、容器１Ａの左右方向に長い形状とされており、後側導入口１４ａの下縁部は、容器１Ａの下端部に位置する一方、後側導入口１４ａの上縁部は、後側壁部１４の上下方向中間部に位置している。また、後側導入口１４ａの左右方向の寸法は、容器１Ａの左右方向の寸法よりも短くなるように設定されていて、後側導入口１４ａの右縁部は後側壁部１４の右縁部から左側へ離れ、後側導入口１４ａの左縁部は後側壁部１４の左縁部から右側へ離れている。このように後側導入口１４ａの左右方向の寸法を後側壁部１４の左右方向の寸法よりも短くして、後側壁部１４の左右両側に開口が形成されない領域を設けておくことで、後側壁部１４によって底壁部１０と上壁部１１との連結が可能になる。後側壁部１４によって底壁部１０と上壁部１１とを連結する必要が無い場合、即ち、複数の板材を組み合わせて容器１Ａを構成する場合には、後側導入口１４ａの左右方向の寸法を後側壁部１４の左右方向の寸法と同一にすることができる。また、図示しないが、後側壁部１４に複数の後側導入口を形成してもよい。この場合、複数の後側導入口が後側壁部１４の上下に並ぶように形成することや、左右に並ぶように形成することもできる。
【００４７】
後側導入口１４ａは、図５等に示すように左右に長い長方形とすることができるが、後側導入口１４ａの形状は特に限定されるものではない。例えば、後側導入口１４ａの左右両縁部を円弧状に湾曲させ、長円形の後側導入口１４ａとすることができる。後側導入口１４ａの左右両縁部を曲線で構成しておけば、後側導入口１４ａの左右両縁部近傍を起点とした板材１００の破断、及び折れが抑制される。
【００４８】
容器１Ａの前側壁部の全体に、匍匐害虫を該容器１Ａの内部に導入するための前側導入口（第２導入口）１６が形成されている。容器１Ａの上壁部１１の前端部が底壁部１０の前端部よりも後に位置しているので、前側導入口１６は、斜め上方に向いて開口することになる。前側導入口１６の上縁部は、容器１Ａの上壁部１１の前端部に位置しており、左右方向に直線状に延びている。また、前側導入口１６の下縁部は、容器１Ａの底壁部１０の前端部に位置しており、左右方向に直線状に延びている。また、前側導入口１６の右縁部及び左縁部は、それぞれ右側壁部１２の前縁部及び左側壁部１３の前縁部に位置しており、上下方向に直線状に延びている。従って、容器１Ａを正面から見たとき、前側導入口１６は左右方向に長い長方形となる。前側導入口１６の上縁部は、後側導入口１４ａの上縁部よりも高いところに位置付けられている。
【００４９】
尚、前側導入口１６の形状は長方形に限られるものではなく、例えば、長円形、台形等であってもよい。また、この実施形態では、容器１Ａの前壁部の全体に前側導入口１６を形成しているので、容器１Ａの前側壁部を図示していないが、前側壁部の一部にのみ前側導入口１６を形成してもよい。図示しないが、前側壁部に複数の前側導入口を形成してもよい。この場合、複数の前側導入口が前側壁部の上下に並ぶように形成することや、左右に並ぶように形成することもできる。
【００５０】
第１導入空間Ｒ１の後端部に後側導入口１４ａが連通している。第１導入空間Ｒ１における匍匐害虫が導入される側は容器１Ａの後側である。第１導入空間Ｒ１の手前側は容器１Ａの後側であり、第１導入空間Ｒ１の奥側は容器１Ａの前側である。第１導入空間Ｒ１を形成する底壁部１０が設置面Ｇに沿う一方、第１導入空間Ｒ１を形成する上壁部（区画壁部１５）が前側へ向かって下降傾斜しているので、第１導入空間Ｒ１の上下方向の寸法Ｈ１（図８に示す）は、後側導入口１４ａから遠ざかるにつれて短くなるように設定される。つまり、第１導入空間Ｒ１の断面は容器１Ａの前側に頂点を有する三角形に近い形状になる。
【００５１】
一方、第２導入空間Ｒ２の前端部に前側導入口１６が連通している。第２導入空間Ｒ２における匍匐害虫が導入される側は容器１Ａの前側であり、第１導入空間Ｒ１における匍匐害虫が導入される側とは反対側になる。第２導入空間Ｒ２の手前側は容器１Ａの前側であり、第２導入空間Ｒ２の奥側は容器１Ａの後側である。第２導入空間Ｒ２を形成する底壁部（区画壁部１５）が前側へ向けて下降傾斜する一方、第２導入空間Ｒ２を形成する上壁部１１が後側へ向かって下降傾斜しているので、第２導入空間Ｒ２の上下方向の寸法Ｈ２（図８に示す）は、前側導入口１６から遠ざかるにつれて短くなるように設定される。つまり、第２導入空間Ｒ２の断面は容器１Ａの後側に頂点を有する三角形に近い形状になる。
【００５２】
図８に示すように、第１導入空間Ｒ１を形成する底壁部１０が設置面Ｇに沿う方向に延び、区画壁部１５が前側へ向けて下降傾斜し、第２導入空間Ｒ２を形成する上壁部１１が後側へ向かって下降傾斜しているので、断面を見ると、底壁部１０、区画壁部１５及び上壁部１１がＺ字状をなすことになる。このように、断面三角形状の第１および第２導入空間Ｒ１、Ｒ２を、前後互い違いで上下に重ねて断面Ｚ字状としているので、第１および第２導入空間Ｒ１、Ｒ２をスペース効率良く配置することができる。これにより、容器１Ａをコンパクトに構成できる。
【００５３】
容器１Ａの前端部には、返し部１７が設けられている。返し部１７は、上壁部１１の前端部に連なるとともに、前側導入口１６の上縁部から後側へ向かって斜め下方へ延びる上側返し部１７ａと、右壁部１２の前端部に連なるとともに、前側導入口１６の右縁部から後側へ向かって延びる右側返し部１７ｂと、左壁部１３の前端部に連なるとともに、前側導入口１６の左縁部から後側へ向かって延びる左側返し部１７ｃとで構成されている。返し部１７は必須のものではないが、例えば、容器１Ａの上に登った匍匐害虫が、前側導入口１６に対して上方から侵入しようとした際に脚が粘着剤３に触れることを阻止できるので、警戒心を抱かせることを抑制する効果を期待できる。また、第２導入空間Ｒ２内に異物が侵入することを抑制する効果や、ユーザーの指が誤って粘着剤３に触れてしまうことを抑制する効果も期待できる。また、図示しないが、返し部１７の代わり、または返し部１７と共に容器１Ａの前端部に庇部を設けてもよい。
【００５４】
区画壁部１５には、第１導入空間Ｒ１と第２導入空間Ｒ２とを連通させる連通部を形成するための切り欠き部１５ａが設けられている。切り欠き部１５ａは、区画壁部１５の後部における左右方向中間部を切り欠くことによって形成されており、この切り欠き部１５ａの形成によって第１導入空間Ｒ１の手前側上部と、第２導入空間Ｒ２の奥側下部とが切り欠き部１５ａの内部を介して連通する。区画壁部１５は、第１導入空間Ｒ１を形成する上壁部であるので、第１導入空間Ｒ１を形成する上壁部に連通部が設けられることになり、また、区画壁部１５は、第２導入空間Ｒ２を形成する底壁部であるので、第２導入空間Ｒ２を形成する底壁部に連通部が設けられることもなる。図示しないが、切り欠き部は区画壁部１５に複数設けられていてもよい。切り欠き部は、区画壁部１５の右縁部や左縁部に設けられていてもよい。
【００５５】
第１粘着剤２は、第１導入空間Ｒ１を形成する上壁部（区画壁部１５）の下面（第１導入空間Ｒ１の内面）に配置される。また、第２粘着剤３は、第２導入空間Ｒ２を形成する上壁部１１の下面（第２導入空間Ｒ２の内面）に配置される。第１導入空間Ｒ１の上下方向の寸法Ｈ１及び第２導入空間Ｒ２の上下方向の寸法Ｈ２は、それぞれの空間Ｒ１、Ｒ２に匍匐害虫が導入されたときに、匍匐害虫の背が第１粘着剤２及び第２粘着剤３に接触するように設定することができ、例えば、第１導入空間Ｒ１及び第２導入空間Ｒ２の前後方向中央部におけるＨ１、Ｈ２は、５ｍｍ〜２０ｍｍ程度にすることができる。Ｈ１、Ｈ２は、対象とする匍匐害虫の種類に応じた寸法にすることができる。
【００５６】
以上のように、第１および第２導入空間Ｒ１、Ｒ２は、奥に進むにつれて上下方向に狭くなるように形成されるとともに、それぞれの導入空間Ｒ１、Ｒ２の上壁部の下面に粘着剤２、３が設けられている。このように構成されているので、匍匐害虫は、後側導入口１４ａまたは前側導入口１６の近傍では粘着剤の存在に気付かず、警戒することなく第１または第２導入空間Ｒ１、Ｒ２の内部へと侵入する。そして、無警戒のまま第１または第２導入空間Ｒ１、Ｒ２の奥側に進んでいくと、羽根または背部が粘着剤に付着して捕獲されるので、逃げ出すことができなくなる。
【００５７】
第１粘着剤２及び第２粘着剤３は板材１００に塗布されている。すなわち、図１３及び図１４に示すように、板材１００の展開状態で、第１導入空間Ｒ１を形成する上壁部（区画壁部）の下面と、第２導入空間Ｒ２を形成する上壁部１１の下面とが該板材１００の同一面上に位置している。そして、区画壁部１５の下面と、第２導入空間Ｒ２を形成する上壁部１１の下面とに、それぞれ第１粘着剤２及び第２粘着剤３（図１２及び図１３に斜線で示す）が設けられている。
【００５８】
第１粘着剤２及び第２粘着剤３を板材１００の同一面に設けたことで、例えば図示しない塗工機を用いて粘着剤を塗布する際には、一工程で第１粘着剤２及び第２粘着剤３の両方の塗布を完了させることができる。尚、第１粘着剤２及び第２粘着剤３を板材１００の別の面に設けるようにしてもよい。
【００５９】
また、第１粘着剤２を区画壁部１５に設ける際には、第１粘着剤２の周縁部が、区画壁部１５の前縁部、後縁部、左右両縁部から離れるように、塗布範囲が設定されている。また、第２粘着剤３を上壁部１１に設ける際には、第２粘着剤３の周縁部が、上壁部１１の前縁部、後縁部、左右両縁部から離れるように、塗布範囲が設定されている。これにより、図８等に示すように、板材１００を折り曲げて容器１Ａを形成した際に、第１粘着剤２が区画壁部１５以外の部分に粘着しなくなるとともに、第２粘着剤３が上壁部１１以外の部分に粘着しなくなる。
【００６０】
誘引部材４は、誘引剤容器４ａと、該誘引剤容器４ａに収容される誘引剤４ｂとを備えている。誘引剤４ｂは、従来から周知の匍匐害虫を誘引するための薬剤等を挙げることができ、例えば液体であってもよいし、粉状または粒状の薬剤であってもよいし、餌等であってもよい。液体の場合は、誘引剤容器４ａに収容された吸収材に誘引剤４ｂを染み込ませておけばよい。誘引剤容器４ａは、例えば硬質樹脂製とすることができ、この実施形態では、誘引成分が揮散するように下方に向かって開放されている。誘引剤４ｂが粒剤の場合、誘引剤容器４ａの代わりに、通気性を有する袋等を利用することができる。また、粒状や粉状の誘引剤を誘引部材とすることもできる。
【００６１】
誘引部材４は、第１導入空間Ｒ１に収容されていて、第２導入空間Ｒ２には収容されていない。より具体的には、誘引部材４は、第１導入空間Ｒ１を形成する上壁部（区画壁部１５）の内面（下面）に対し、該内面に設けられた第１粘着剤２により取り付けられる。誘引部材４は、第１導入空間Ｒ１の奥側に位置付けられている。この構成により、誘因部材４から放散された誘引成分は、第１導入空間Ｒ１の奥側から手前側に向けて流れる。当該誘因成分の一部は、後側導入口１４ａを介して外部に放散されることにより、匍匐害虫を第１導入空間Ｒ１の内部へと誘引する。
【００６２】
一方、区画壁部１５に切り欠き部１５ａが設けられているので、上記誘引成分の一部は、切り欠き部１５ａの内部を通って第２導入空間Ｒ２の奥側に流入することになる。このようにして流入した誘因成分は、第２導入空間Ｒ２の奥側から手前側に向けて流れ、前側導入口１６を介して外部に放散されることにより、匍匐害虫を第２導入空間Ｒ２の内部へと誘引する。このように、一箇所の誘引部材４により、第１および第２導入空間Ｒ１、Ｒ２の内部へと匍匐害虫を誘引することができる。
【００６３】
尚、図示しないが、誘引部材４は、区画壁部１５の上面にのみ取り付け、第２導入空間Ｒ２に収容して第１導入空間Ｒ１には収容しなくてもよい。つまり、第１導入空間Ｒ１と第２導入空間Ｒ２との一方の空間にのみ誘引部材４が収容されていればよい。また、図示しないが、変形例として、第１導入空間Ｒ１と第２導入空間Ｒ２との両方に誘引部材４を収容してもよい。区画壁部１５に連通部を設けない場合には、第１導入空間Ｒ１と第２導入空間Ｒ２との両方に誘引部材４を収容するのが好ましい。
【００６４】
誘引部材４は、第１導入空間Ｒ１を形成する上壁部（区画壁部１５）の内面に対し、該内面に設けられた第１粘着剤２により取り付けられる。誘引部材４は、第１導入空間Ｒ１の奥側に位置付けられている。区画壁部１５に切り欠き部１５ａが設けられているので、誘引部材４の誘引成分は、切り欠き部１５ａの内部を通って第２導入空間Ｒ２の奥側に流入することになる。
【００６５】
図９及び図１０に示すように、第１導入空間Ｒ１を形成する底壁部１０には、誘引部材４を第１導入空間Ｒ１の外部から該第１導入空間Ｒ１に挿入するための挿入口１０ａが形成されている。尚、図９における斜線部は、挿入口１０ａを通して見える第１粘着剤２である。
【００６６】
挿入口１０ａは、誘引部材４の外形状よりも大きく形成されている。底壁部１０には、挿入口１０ａを開閉する蓋部１０ｂが一体成形されている。蓋部１０ｂは、挿入口１０ａと一致する形状であり、その前縁部１０ｃが底壁部１０と連なっている。蓋部１０ｂを開けて容器１Ａの内部を覗くと、第１粘着剤２を直接見ることができ、誘引剤容器４ａを第１粘着剤２に容易に貼り付けることができる。
【００６７】
また、図１２や図１３に示すように、区画壁部１５の右側には、右内方側板部１５ｂが設けられており、この右内方側板部１５ｂは容器１Ａの右側壁部１２の内面に沿うように配置される。区画壁部１５の左側には、左内方側板部１５ｃが設けられており、この左内方側板部１５ｃは容器１Ａの左側壁部１３の内面に沿うように配置される。
【００６８】
底壁部１０の右側には、右外方側板部２０が設けられている。右外方側板部２０の基端側は、容器１Ａの右側壁部１２の外面に沿うように配置される。右外方側板部２０の先端側は、右側壁部１２に形成された切れ込み部１２ａに差し込まれるようになっている。また、右側壁部１２には、底壁部１０の内面に沿って延びるように折り曲げられる折り曲げ部１２ｂが設けられている。
【００６９】
底壁部１０の左側には、左外方側板部２１が設けられている。左外方側板部２１の基端側は、容器１Ａの左側壁部１３の外面に沿うように配置される。左外方側板部２１の先端側は、左側壁部１３に形成された切れ込み部１３ａに差し込まれるようになっている。また、左側壁部１３には、底壁部１０の内面に沿って延びるように折り曲げられる折り曲げ部１３ｂが設けられている。
【００７０】
（板材１００の構成）
図１２や図１３に示すように、板材１００は、底壁部１０に後側壁部１４を介して上壁部１１が連なるとともに、底壁部１０に区画壁部１５が連なって形成されている。さらに、上壁部１１には右側壁部１２及び左側壁部１３が連なるとともに、返し部１７も連なっている。また、底壁部１０には右外方側板部２０及び左外方側板部２１が連なっている。つまり、容器１Ａを構成する各部によって１枚の板材１００が構成されている。尚、切り欠き部１５は板材１００の縁部に位置している。
【００７１】
そして、区画壁部１５と第２導入空間Ｒ２を形成する上壁部１１とに、それぞれ第１粘着剤２及び第２粘着剤３が設けられている。誘引部材４は板材１００には設けられていない。
【００７２】
第１粘着剤２及び第２粘着剤３は板材１００に塗布されている。すなわち、図１３及び図１４に示すように、板材１００の展開状態で、第１導入空間Ｒ１を形成する上壁部（区画壁部）の下面と、第２導入空間Ｒ２を形成する上壁部１１の下面とが該板材１００の同一面上に位置している。そして、区画壁部１５の下面と、第２導入空間Ｒ２を形成する上壁部１１の下面とに、それぞれ第１粘着剤２及び第２粘着剤３（図１２及び図１３に斜線で示す）が設けられている。
【００７３】
第１粘着剤２及び第２粘着剤３を板材１００の同一面に設けたことで、例えば図示しない塗工機を用いて粘着剤を塗布する際には、一工程で第１粘着剤２及び第２粘着剤３の両方の塗布を完了させることができる。尚、第１粘着剤２及び第２粘着剤３を板材１００の別の面に設けるようにしてもよい。
【００７４】
なお、第１粘着剤２は、区画壁部１５の下面の全面に塗布する必要はなく、その一部に塗布することもできる。同様に、第２粘着剤３は、上壁部１１の下面の全面に塗布する必要はなく、その一部に塗布することもできる。例えば図１３では、第１粘着剤２の周縁部が、区画壁部１５の前縁部、後縁部、左右両縁部から離れるように、塗布範囲が設定されている。同様に、第２粘着剤３の周縁部が、上壁部１１の前縁部、後縁部、左右両縁部から離れるように、塗布範囲が設定されている。これにより、図８等に示すように、板材１００を折り曲げて容器１Ａを形成した際に、第１粘着剤２が区画壁部１５以外の部分に粘着しなくなるとともに、第２粘着剤３が上壁部１１以外の部分に粘着しなくなる。
【００７５】
（匍匐害虫捕獲器１の製造方法）
次に、上記のように構成された匍匐害虫捕獲器１の製造方法について説明する。まず、図１２に示すような板材１００を得る。その後、図１３に示すように、粘着剤を塗布する塗工機（図示せず）を使用し、区画壁部１５と上壁部１１とに、それぞれ第１粘着剤２及び第２粘着剤３を塗布する。第１粘着剤２及び第２粘着剤３の塗布後、保護用の剥離紙を貼り付けておく。剥離紙は、匍匐害虫捕獲器１の使用開始時に剥離すればよい。第１粘着剤２及び第２粘着剤３を塗布する際には、区画壁部１５と上壁部１１との塗布面が板材１００の同一面であるため、一工程で行うことができ、生産性を高めることができる。また、剥離紙を貼り付ける際にも同様に一工程で行うことができる。
【００７６】
その後、図１４に示すように、区画壁部１５の右内方側板部１５ｂ及び左内方側板部１５ｃを折り曲げる。右内方側板部１５ｂ及び左内方側板部１５ｃを折り曲げた後、区画壁部１５が底壁部１０の上方に位置するように折り曲げる。
【００７７】
次いで、返し部１７を折り曲げるとともに、右側壁部１２及び左側壁部１３を折り曲げ、さらに折り曲げ部１２ｂ、１３ｂも折り曲げる。そして、上壁部１１が区画壁部１５の上方に位置するように折り曲げる。
【００７８】
しかる後、図１７に示すように右外方側板部２０及び左外方側板部２１を切れ込み部１２ａ、１３ａにそれぞれ挿入することで、右外方側板部２０及び左外方側板部２１を右側壁部１２及び左側壁部１３に係止させる。
【００７９】
以上のようにして容器１Ａが得られる。その後、図９及び図１０に示すように、蓋部１０ｂを、前縁部１０ｃを折り曲げ起点として容器１Ａの外側へ折り曲げて挿入口１０ａを開放する。挿入口１０ａを開放した状態にして誘引部材４を挿入口１０ａから第１導入空間Ｒ１に挿入して第２粘着剤２に貼り付ける。誘引部材４の貼り付け後に蓋部１０ｂを閉じる。蓋部１０ｂは、底壁部１０に対して爪係合等の固定構造によって固定するようにしてもよい。
【００８０】
（実施形態の作用効果）
以上説明したように、この実施形態によれば、図１１に示すように、後側導入口１４ａから第１導入空間Ｒ１に導入された匍匐害虫が例えばゴキブリである場合には、第１導入空間Ｒ１の上部に第１粘着剤２が配置されているので、羽根または背部が第１粘着剤２に付着することになり、第１導入空間２から逃げ出しにくくなる。また、前側導入口１６から第２導入空間Ｒ２に例えばゴキブリが導入されると、第２導入空間Ｒ２の上部に第２粘着剤３が配置されているので、羽根または背部が第２粘着剤３に付着することになり、第２導入空間Ｒ２から逃げ出しにくくなる。尚、図１１では誘引部材４を省略している。
【００８１】
第１導入空間Ｒ１及び第２導入空間Ｒ２は容器１Ａの内部において上下に形成されているので、容器１Ａの平面視における投影面積を小さくしながら、その内部において広い粘着面積を確保することが可能になる。
【００８２】
尚、捕獲対象となる匍匐害虫は、ゴキブリに限られるものではなく、床面等を歩行する害虫を全て対象とすることができる。羽根のない害虫であっても、背部が粘着剤２、３に付着することで粘着面積が広くなって逃げ出しにくくなるので、羽根の有無は問わない。
【００８３】
また、後側導入口１４ａから第１導入空間Ｒ１に導入された匍匐害虫は、第１導入空間Ｒ１を形成する壁部の内面に設けられた第１粘着剤２によって捕獲され、また、前側導入口１６から第２導入空間Ｒ２に導入された匍匐害虫は、第２導入空間Ｒ２を形成する壁部の内面に設けられた第２粘着剤３によって捕獲されるので、匍匐害虫の捕獲可能な数を増やすことができる。
【００８４】
また、誘引部材４が第１導入空間Ｒ１にのみ収容されているので、誘引部材４の数が少なくて済む。この場合に、第１導入空間Ｒ１と第２導入空間Ｒ２とが連通しているので、誘引部材４から放散される誘引成分が第１導入空間Ｒ１から第２導入空間Ｒ２に入り易くなり、匍匐害虫を両方の空間Ｒ１、Ｒ２に誘引することができる。
【００８５】
また、第１導入空間Ｒ１を形成する上壁部と第２導入空間Ｒ２を形成する底壁部とを共通化したので、容器１Ａをコンパクト化することができる。そして、第１導入空間Ｒ１を形成する上壁部に連通部を設けることで、シンプルな連通構造とすることができる。
【００８６】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００８７】
図１８に示す変形例のように、区画壁部１５には切り欠き部の代わりに該区画壁部１５を貫通する孔部１５ｄを形成してもよい。孔部１５ｄの数は１つに限られるものではなく、複数であってもよい。また、孔部１５ｄはスリット形状であってもよい。
【００８８】
また、右側壁部１２や左側壁部１３に、匍匐害虫を導入するための導入口を形成してもよい。
【産業上の利用可能性】
【００８９】
以上説明したように、本発明に係る匍匐害虫捕獲器は、例えば、ゴキブリ等の匍匐害虫を捕獲する場合に使用することができる。
【符号の説明】
【００９０】
１                匍匐害虫捕獲器
１Ａ              容器
２                第１粘着剤
３                第２粘着剤
４                誘引部材
１０              底壁部
１０ａ            挿入口
１０ｂ            蓋部
１１              上壁部
１４ａ            後側導入口（第１導入口）
１５              区画壁部（区画部）
１５ａ            切り欠き部（連通部）
１５ｄ            孔部（連通部）
１６              前側導入口（第２導入口）
１００            板材
Ｇ                設置面
Ｒ１              第１導入空間
Ｒ２              第２導入空間
【図１】
2019165642.tif 000003
【図２】
2019165642.tif 000004
【図３】
2019165642.tif 000005
【図４】
2019165642.tif 000006
【図５】
2019165642.tif 000007
【図６】
2019165642.tif 000008
【図７】
2019165642.tif 000009
【図８】
2019165642.tif 000010
【図９】
2019165642.tif 000011
【図１０】
2019165642.tif 000012
【図１１】
2019165642.tif 000013
【図１２】
2019165642.tif 000014
【図１３】
2019165642.tif 000015
【図１４】
2019165642.tif 000016
【図１５】
2019165642.tif 000017
【図１６】
2019165642.tif 000018
【図１７】
2019165642.tif 000019
【図１８】
2019165642.tif 000020